(57)【要約】      （修正有）【課題】訴求力の高い店頭宣伝用ネットイーゼルを提供する。【解決手段】イーゼル台の任意の位置に設けた開口部に設置したディスプレイ部及び当該ディスプレイ部に接続されたＷＥＢサイト表示装置本体か、又はそのイーゼル台に取り付けられた表示部付ＷＥＢサイト表示装置一体型か、の何れかからなるＷＥＢサイト表示装置と、それぞれのディスプレイ部において表示するデーターを予め蓄えたインターネットサーバーと、当該ＷＥＢサイト表示装置とインターネットサーバーとを接続する無線ＬＡＮ装置と、当該ＷＥＢサイト表示装置と当該インターネットサーバーとをコントロールするＣＧＩプログラム及び／又はＢＩＯＳを含むコントロール手段と、電源ケーブルと、を具備している事を特徴とする。【選択図】図１
0003153459.tif 000002
【実用新案登録請求の範囲】
【請求項１】
店頭宣伝用イーゼル黒板などにおいて、少なくともその一部分以上にＷＥＢサイト表示装置を組込み、手書き文字の表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２】
店頭宣伝用メニュー・パンフレット掲示型イーゼルなどにおいて、少なくともその一部分以上にＷＥＢサイト表示装置を組込み、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項３】
その他店頭設置用看板類において、少なくともその一部分以上に、ＷＥＢサイト表示装置を組込み、手書き文字広告や、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項４】
店頭宣伝用イーゼル黒板やメニュー・パンフレット掲示型イーゼル等やその他店頭設置用看板類において、少なくともその一部分以上に、ＷＥＢサイト表示装置を組込み、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項５】
イーゼル黒板等や、メニュー・パンフレット掲示型イーゼル等や、その他看板類において、少なくともその一部分以上に、ＷＥＢサイト表示装置を組込み、組込み或いは直近に設置し、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項６】
店頭宣伝用イーゼル黒板などにおいて、少なくともその一部分以上にＷＥＢサイト表示装置を組込み、更に表示装置のディスプレイ部用開口部に保護パネルを取り付けこれを保護する手段と、手書き文字の表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項７】
店頭宣伝用メニュー・パンフレット掲示型イーゼルなどにおいて、少なくともその一部分以上にＷＥＢサイト表示装置を組込み、更に表示装置のディスプレイ部用開口部に保護パネルを取り付けこれを保護する手段と、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項８】
その他店頭設置用看板類において、少なくともその一部分以上に、ＷＥＢサイト表示装置を組込み、更に表示装置のディスプレイ部用開口部に保護パネルを取り付けこれを保護する手段と、手書き文字広告や、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項９】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部に保護パネルを取り付けこれを保護する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１０】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部に保護パネルを取り付けこれを保護する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１１】
店頭宣伝用イーゼル黒板などにおいて、少なくともその一部分以上にＷＥＢサイト表示装置を組込み、更に表示装置のディスプレイ部用開口部に防水パネルを取り付けこれを防水する手段と、手書き文字の表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１２】
店頭宣伝用メニュー・パンフレット掲示型イーゼルなどにおいて、少なくともその一部分以上にＷＥＢサイト表示装置を組込み、更に表示装置のディスプレイ部用開口部に防水パネルを取り付けこれを防水する手段と、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１３】
その他店頭設置用看板類において、少なくともその一部分以上に、ＷＥＢサイト表示装置を組込み、更に表示装置のディスプレイ部用開口部に防水パネルを取り付けこれを防水する手段と、手書き文字広告や、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１４】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部に防水パネルを取り付けこれを防水する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１５】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部に防水パネルを取り付けこれを防水する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１６】
店頭宣伝用イーゼル黒板などにおいて、少なくともその一部分以上にＷＥＢサイト表示装置を組込み、更に表示装置のディスプレイ部用開口部に拡大レンズを取り付けこれを拡大表示する手段と、手書き文字の表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１７】
店頭宣伝用メニュー・パンフレット掲示型イーゼルなどにおいて、少なくともその一部分以上にＷＥＢサイト表示装置を組込み、更に表示装置のディスプレイ部用開口部に拡大レンズを取り付けこれを拡大表示する手段と、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１８】
その他店頭設置用看板類において、少なくともその一部分以上に、ＷＥＢサイト表示装置を組込み、更に表示装置のディスプレイ部用開口部に拡大レンズを取り付けこれを拡大表示する手段と、手書き文字広告や、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項１９】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部に拡大レンズを取り付けこれを拡大表示する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２０】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部に拡大レンズを取り付けこれを拡大表示する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２１】
店頭宣伝用イーゼル黒板などにおいて、少なくともその一部分以上にＷＥＢサイト表示装置を組込み、更に表示装置のディスプレイ部用開口部に拡大レンズ兼防水カバーを取り付けこれを拡大表示及び防水する手段と、手書き文字の表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２２】
店頭宣伝用メニュー・パンフレット掲示型イーゼルなどにおいて、少なくともその一部分以上にＷＥＢサイト表示装置を組込み、更に表示装置のディスプレイ部用開口部に拡大レンズ兼防水カバーを取り付けこれを拡大表示及び防水する手段と、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２３】
その他店頭設置用看板類において、少なくともその一部分以上に、ＷＥＢサイト表示装置を組込み、更に表示装置のディスプレイ部用開口部に拡大レンズ兼防水カバーを取り付けこれを拡大表示及び防水する手段と、手書き文字広告や、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２４】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部に拡大レンズ兼防水カバーを取り付けこれを拡大表示及び防水する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２５】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部に拡大レンズ兼防水カバーを取り付けこれを拡大表示及び防水する手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２６】
店頭宣伝用イーゼル黒板などにおいて、少なくともその一部分以上にＷＥＢサイト表示装置を組込み、更に表示装置のディスプレイ部用開口部に拡大レンズ兼防水カバーを取り付けこれを拡大表示及び防水する手段と、更に蓄電池を組み込み或いは設置し電源のない場所でも稼働可能とする手段と、手書き文字の表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２７】
店頭宣伝用メニュー・パンフレット掲示型イーゼルなどにおいて、少なくともその一部分以上にＷＥＢサイト表示装置を組込み、更に表示装置のディスプレイ部用開口部に拡大レンズ兼防水カバーを取り付けこれを拡大表示及び防水する手段と、更に蓄電池を組み込み或いは設置し電源のない場所でも稼働可能とする手段と、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２８】
その他店頭設置用看板類において、少なくともその一部分以上に、ＷＥＢサイト表示装置を組込み、更に表示装置のディスプレイ部用開口部に拡大レンズ兼防水カバーを取り付けこれを拡大表示及び防水する手段と、更に蓄電池を組み込み或いは設置し電源のない場所でも稼働可能とする手段と、手書き文字広告や、メニューや、パンフレットの表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項２９】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部に拡大レンズ兼防水カバーを取り付けこれを拡大表示及び防水する手段と、更に蓄電池を組み込み或いは設置し電源のない場所でも稼働可能とする手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項３０】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部に拡大レンズ兼防水カバーを取り付けこれを拡大表示及び防水する手段と、更に蓄電池を組み込み或いは設置し電源のない場所でも稼働可能とする手段と、手書き文字広告や、メニューや、パンフレットや、既存看板等の広告手段による表示内容と当該「ＷＥＢサイト」の表示内容とを連携させ表示する事など訴求力を増強する手段を具備する事を特徴とする「ＷＥＢサイト表示装置一体型店頭宣伝用ネットイーゼル」
【請求項３１】
店頭宣伝用イーゼル黒板などにおいて、少なくともその一部分以上にＷＥＢサイト表示装置を組込み、更に表示装置のディスプレイ部用開口部周辺に表示装置挿入補助スライドを設け脱着を容易にする手段を具備する事を特徴とする「ＷＥＢサイト表示装置一体型店頭宣伝用ネットイーゼル」
【請求項３２】
店頭宣伝用メニュー・パンフレット掲示型イーゼルなどにおいて、少なくともその一部分以上にＷＥＢサイト表示装置を組込み、更に表示装置のディスプレイ部用開口部周辺に表示装置挿入補助スライドを設け脱着を容易にする手段を具備する事を特徴とする「ＷＥＢサイト表示装置一体型店頭宣伝用ネットイーゼル」
【請求項３３】
その他店頭設置用看板類において、少なくともその一部分以上に、ＷＥＢサイト表示装置を組込み、更に表示装置のディスプレイ部用開口部周辺に表示装置挿入補助スライドを設け脱着を容易にする手段を具備する事を特徴とする「ＷＥＢサイト表示装置一体型店頭宣伝用ネットイーゼル」
【請求項３４】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部周辺に表示装置挿入補助スライドを設け脱着を容易にする手段を具備する事を特徴とする「ＷＥＢサイト表示装置一体型店頭宣伝用ネットイーゼル」
【請求項３５】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部周辺に表示装置挿入補助スライドを設け脱着を容易にする手段を具備する事を特徴とする「ＷＥＢサイト表示装置一体型店頭宣伝用ネットイーゼル」
【請求項３６】
店頭宣伝用イーゼル黒板などにおいて、少なくともその一部分以上にＷＥＢサイト表示装置を組込み、更に表示装置のディスプレイ部用開口部周辺に表示装置脱落防止用補強手段を具備する事を特徴とする「ＷＥＢサイト表示装置一体型店頭宣伝用ネットイーゼル」
【請求項３７】
店頭宣伝用メニュー・パンフレット掲示型イーゼルなどにおいて、少なくともその一部分以上にＷＥＢサイト表示装置を組込み、更に表示装置のディスプレイ部用開口部周辺に表示装置脱落防止用補強手段を具備する事を特徴とする「ＷＥＢサイト表示装置一体型店頭宣伝用ネットイーゼル」
【請求項３８】
その他店頭設置用看板類において、少なくともその一部分以上に、ＷＥＢサイト表示装置を組込み、更に表示装置のディスプレイ部用開口部周辺に表示装置脱落防止用補強手段を具備する事を特徴とする「ＷＥＢサイト表示装置一体型店頭宣伝用ネットイーゼル」
【請求項３９】
店頭宣伝用イーゼル黒板やメニュー・パンフレット掲示型イーゼル等やその他店頭設置用看板類において、少なくともその一部分以上に、ＷＥＢサイト表示装置を組込み、更に表示装置のディスプレイ部用開口部周辺に表示装置脱落防止用補強手段を具備する事を特徴とする「ＷＥＢサイト表示装置一体型店頭宣伝用ネットイーゼル」
【請求項４０】
イーゼル黒板等や、メニュー・パンフレット掲示型イーゼル等や、その他看板類において、少なくともその一部分以上に、ＷＥＢサイト表示装置を組込み、組込み或いは直近に設置し、更に表示装置のディスプレイ部用開口部周辺に表示装置脱落防止用補強手段を具備する事を特徴とする「ＷＥＢサイト表示装置一体型店頭宣伝用ネットイーゼル」
【請求項４１】
店頭宣伝用イーゼル黒板などにおいて、少なくともその一部分以上にＷＥＢサイト表示装置を組込み、更に無線ＬＡＮ装置を付加しインターネットサーバーにアクセスできる手段を具備する事を特徴とする「ＷＥＢサイト表示装置一体型店頭宣伝用ネットイーゼル」
【請求項４２】
店頭宣伝用メニュー・パンフレット掲示型イーゼルなどにおいて、少なくともその一部分以上にＷＥＢサイト表示装置を組込み、更に無線ＬＡＮ装置を付加しインターネットサーバーにアクセスできる手段を具備する事を特徴とする「ＷＥＢサイト表示装置一体型店頭宣伝用ネットイーゼル」
【請求項４３】
その他店頭設置用看板類において、少なくともその一部分以上に、ＷＥＢサイト表示装置を組込み、更に無線ＬＡＮ装置を付加しインターネットサーバーにアクセスできる手段を具備する事を特徴とする「ＷＥＢサイト表示装置一体型店頭宣伝用ネットイーゼル」
【請求項４４】
店頭宣伝用イーゼル黒板やメニュー・パンフレット掲示型イーゼル等やその他店頭設置用看板類において、少なくともその一部分以上に、ＷＥＢサイト表示装置を組込み、更に無線ＬＡＮ装置を付加しインターネットサーバーにアクセスできる手段を具備する事を特徴とする「ＷＥＢサイト表示装置一体型店頭宣伝用ネットイーゼル」
【請求項４５】
イーゼル黒板等や、メニュー・パンフレット掲示型イーゼル等や、その他看板類において、少なくともその一部分以上に、ＷＥＢサイト表示装置を組込み、組込み或いは直近に設置し、更に無線ＬＡＮ装置を付加しインターネットサーバーにアクセスできる手段を具備する事を特徴とする「ＷＥＢサイト表示装置一体型店頭宣伝用ネットイーゼル」
【請求項４６】
店頭宣伝用イーゼル黒板などにおいて、少なくともその一部分以上にＷＥＢサイト表示装置を組込み、更にディスプレイ部及びスピーカーの何れか若しくは両方を組み込み付加し、ＷＥＢサイト表示装置本体からコントロールする手段を具備する事を特徴とする「ＷＥＢサイト表示装置一体型店頭宣伝用ネットイーゼル」
【請求項４７】
店頭宣伝用メニュー・パンフレット掲示型イーゼルなどにおいて、少なくともその一部分以上にＷＥＢサイト表示装置を組込み、更にディスプレイ部及びスピーカーの何れか若しくは両方を組み込み付加し、ＷＥＢサイト表示装置本体からコントロールする手段を具備する事を特徴とする「ＷＥＢサイト表示装置一体型店頭宣伝用ネットイーゼル」
【請求項４８】
その他店頭設置用看板類において、少なくともその一部分以上に、ＷＥＢサイト表示装置を組込み、更にディスプレイ部及びスピーカーの何れか若しくは両方を組み込み付加し、ＷＥＢサイト表示装置本体からコントロールする手段を具備する事を特徴とする「ＷＥＢサイト表示装置一体型店頭宣伝用ネットイーゼル」
【請求項４９】
店頭宣伝用イーゼル黒板やメニュー・パンフレット掲示型イーゼル等やその他店頭設置用看板類において、少なくともその一部分以上に、ＷＥＢサイト表示装置を組込み、更にディスプレイ部及びスピーカーの何れか若しくは両方を組み込み付加し、ＷＥＢサイト表示装置本体からコントロールする手段を具備する事を特徴とする「ＷＥＢサイト表示装置一体型店頭宣伝用ネットイーゼル」
【請求項５０】
イーゼル黒板等や、メニュー・パンフレット掲示型イーゼル等や、その他看板類において、少なくともその一部分以上に、ＷＥＢサイト表示装置を組込み、更にディスプレイ部及びスピーカーの何れか若しくは両方を組み込み付加し、ＷＥＢサイト表示装置本体からコントロールする手段を具備する事を特徴とする「ＷＥＢサイト表示装置一体型店頭宣伝用ネットイーゼル」
【請求項５１】
店頭宣伝用イーゼル黒板などにおいて、少なくともその一部分以上にＷＥＢサイト表示装置を組込み、更に芳香カプセルを組み込み或いは付加しその芳香をＷＥＢサイト表示装置本体からコントロールする手段を具備する事を特徴とする「ＷＥＢサイト表示装置一体型店頭宣伝用ネットイーゼル」
【請求項５２】
店頭宣伝用メニュー・パンフレット掲示型イーゼルなどにおいて、少なくともその一部分以上にＷＥＢサイト表示装置を組込み、更に芳香カプセルを組み込み或いは付加しその芳香をＷＥＢサイト表示装置本体からコントロールする手段を具備する事を特徴とする「ＷＥＢサイト表示装置一体型店頭宣伝用ネットイーゼル」
【請求項５３】
その他店頭設置用看板類において、少なくともその一部分以上に、ＷＥＢサイト表示装置を組込み、更に芳香カプセルを組み込み或いは付加しその芳香をＷＥＢサイト表示装置本体からコントロールする手段を具備する事を特徴とする「ＷＥＢサイト表示装置一体型店頭宣伝用ネットイーゼル」
【請求項５４】
店頭宣伝用イーゼル黒板やメニュー・パンフレット掲示型イーゼル等やその他店頭設置用看板類において、少なくともその一部分以上に、ＷＥＢサイト表示装置を組込み、更に芳香カプセルを組み込み或いは付加しその芳香をＷＥＢサイト表示装置本体からコントロールする手段を具備する事を特徴とする「ＷＥＢサイト表示装置一体型店頭宣伝用ネットイーゼル」
【請求項５５】
イーゼル黒板等や、メニュー・パンフレット掲示型イーゼル等や、その他看板類において、少なくともその一部分以上に、ＷＥＢサイト表示装置を組込み、組込み或いは直近に設置し、更に芳香カプセルを組み込み或いは付加しその芳香をＷＥＢサイト表示装置本体からコントロールする手段を具備する事を特徴とする「ＷＥＢサイト表示装置一体型店頭宣伝用ネットイーゼル」
【請求項５６】
店頭宣伝用イーゼル黒板などにおいて、少なくともその一部分以上にＷＥＢサイト表示装置を組込み、更に無線ＬＡＮ装置を付加しインターネットサーバーにアクセスできる手段と、芳香カプセルを組み込み若しくは付加し予めインターネットサーバーに容易してある表示用ＣＧＩプログラムのうち最適なプログラムを起動し芳香の形式を選択しその芳香を繰り返し提供できる手段を具備する事を特徴とする「ＷＥＢサイト表示装置一体型店頭宣伝用ネットイーゼル」
【請求項５７】
店頭宣伝用メニュー・パンフレット掲示型イーゼルなどにおいて、少なくともその一部分以上にＷＥＢサイト表示装置を組込み、更に無線ＬＡＮ装置を付加しインターネットサーバーにアクセスできる手段と、芳香カプセルを組み込み若しくは付加し予めインターネットサーバーに容易してある表示用ＣＧＩプログラムのうち最適なプログラムを起動し芳香の形式を選択しその芳香を繰り返し提供できる手段を具備する事を特徴とする「ＷＥＢサイト表示装置一体型店頭宣伝用ネットイーゼル」
【請求項５８】
その他店頭設置用看板類において、少なくともその一部分以上に、ＷＥＢサイト表示装置を組込み、更に無線ＬＡＮ装置を付加しインターネットサーバーにアクセスできる手段と、芳香カプセルを組み込み若しくは付加し予めインターネットサーバーに容易してある表示用ＣＧＩプログラムのうち最適なプログラムを起動し芳香の形式を選択しその芳香を繰り返し提供できる手段を具備する事を特徴とする「ＷＥＢサイト表示装置一体型店頭宣伝用ネットイーゼル」
【請求項５９】
店頭宣伝用イーゼル黒板やメニュー・パンフレット掲示型イーゼル等やその他店頭設置用看板類において、少なくともその一部分以上に、ＷＥＢサイト表示装置を組込み、更に無線ＬＡＮ装置を付加しインターネットサーバーにアクセスできる手段と、び芳香カプセルを組み込み若しくは付加し予めインターネットサーバーに容易してある表示用ＣＧＩプログラムのうち最適なプログラムを起動し、芳香の形式を選択しその芳香を、繰り返し提供できる手段を具備する事を特徴とする「ＷＥＢサイト表示装置一体型店頭宣伝用ネットイーゼル」
【請求項６０】
イーゼル黒板等や、メニュー・パンフレット掲示型イーゼル等や、その他看板類において、少なくともその一部分以上に、ＷＥＢサイト表示装置を組込み、組込み或いは直近に設置し、更に無線ＬＡＮ装置を付加しインターネットサーバーにアクセスできる手段と、び芳香カプセルを組み込み若しくは付加し予めインターネットサーバーに容易してある表示用ＣＧＩプログラムのうち最適なプログラムを起動し、芳香の形式を選択しその芳香を、繰り返し提供できる手段を具備する事を特徴とする「ＷＥＢサイト表示装置一体型店頭宣伝用ネットイーゼル」
【請求項６１】
店頭宣伝用イーゼル黒板などにおいて、少なくともその一部分以上にＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する事を特徴とする「ＷＥＢサイト表示装置一体型店頭宣伝用ネットイーゼル」特徴とする「ＷＥＢサイト表示装置一体型店頭宣伝用ネットイーゼル」
【請求項６２】
店頭宣伝用メニュー・パンフレット掲示型イーゼルなどにおいて、少なくともその一部分以上にＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する事を特徴とする「ＷＥＢサイト表示装置一体型店頭宣伝用ネットイーゼル」特徴とする「ＷＥＢサイト表示装置一体型店頭宣伝用ネットイーゼル」
【請求項６３】
その他店頭設置用看板類において、少なくともその一部分以上に、ＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する事を特徴とする「ＷＥＢサイト表示装置一体型店頭宣伝用ネットイーゼル」特徴とする「ＷＥＢサイト表示装置一体型店頭宣伝用ネットイーゼル」
【請求項６４】
店頭宣伝用イーゼル黒板やメニュー・パンフレット掲示型イーゼル等やその他店頭設置用看板類において、少なくともその一部分以上に、ＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する事を特徴とする「ＷＥＢサイト表示装置一体型店頭宣伝用ネットイーゼル」特徴とする「ＷＥＢサイト表示装置一体型店頭宣伝用ネットイーゼル」
【請求項６５】
イーゼル黒板等や、メニュー・パンフレット掲示型イーゼル等や、その他看板類において、少なくともその一部分以上に、ＷＥＢサイト表示装置を組込み、組込み或いは直近に設置し、更に無線ＬＡＮ装置を付加しインターネットサーバーにアクセスできる手段と、更にデジカメや集音マイクを設備し、予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する事を特徴とする「ＷＥＢサイト表示装置一体型店頭宣伝用ネットイーゼル」特徴とする「ＷＥＢサイト表示装置一体型店頭宣伝用ネットイーゼル」
【請求項６６】
店頭宣伝用イーゼル黒板などにおいて、少なくともその一部分以上にＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する「ＷＥＢサイト表示装置一体型店頭宣伝用ネットイーゼル」を複数設置し連携し任意の場所からコントロールし管理・記録する手段を具備する事を特徴とする「ＷＥＢサイト表示装置一体型店頭宣伝用ネットイーゼル」
【請求項６７】
店頭宣伝用メニュー・パンフレット掲示型イーゼルなどにおいて、少なくともその一部分以上にＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する「ＷＥＢサイト表示装置一体型店頭宣伝用ネットイーゼル」を複数設置し連携し任意の場所からコントロールし管理・記録する手段を具備する事を特徴とする「ＷＥＢサイト表示装置一体型店頭宣伝用ネットイーゼル」
【請求項６８】
その他店頭設置用看板類において、少なくともその一部分以上に、ＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する「ＷＥＢサイト表示装置一体型店頭宣伝用ネットイーゼル」を複数設置し連携し任意の場所からコントロールし管理・記録する手段を具備する事を特徴とする「ＷＥＢサイト表示装置一体型店頭宣伝用ネットイーゼル」
【請求項６９】
店頭宣伝用イーゼル黒板やメニュー・パンフレット掲示型イーゼル等やその他店頭設置用看板類において、少なくともその一部分以上に、ＷＥＢサイト表示装置を組込み、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する「ＷＥＢサイト表示装置一体型店頭宣伝用ネットイーゼル」を複数設置し連携し任意の場所からコントロールし管理・記録する手段を具備する事を特徴とする「ＷＥＢサイト表示装置一体型店頭宣伝用ネットイーゼル」
【請求項７０】
イーゼル黒板等や、メニュー・パンフレット掲示型イーゼル等や、その他看板類において、少なくともその一部分以上に、ＷＥＢサイト表示装置を組込み、組込み或いは直近に設置し、更に無線ＬＡＮ装置を付加しインターネットサーバーにアクセスできる手段と、更にデジカメや集音マイクを設備し予めインターネットサーバーに用意してある表示用ＣＧＩプログラムのうち最適なプログラムを起動し撮影及び集音をコントロールしそのデータをアップロードしそのうち任意のデータをＷＥＢサイトの内容変更に利用する手段と、これを直にダウンロード・表示し訴求力をより一層増強する手段を具備する「ＷＥＢサイト表示装置一体型店頭宣伝用ネットイーゼル」を複数設置し連携し任意の場所からコントロールし管理・記録する手段を具備する事を特徴とする「ＷＥＢサイト表示装置一体型店頭宣伝用ネットイーゼル」
【請求項７１】
店頭宣伝用イーゼル黒板などにおいて、少なくともその一部分以上にＷＥＢサイト表示装置を組込み、手書き文字の表示内容と当該「ＷＥＢサイト」の表示内容とを連携させ表示する手段と、店頭の顧客のみならずインターネットを介して遠方の顧客にもアピールする事など訴求力を増強する手段を具備する事を特徴とする「ＷＥＢサイト表示装置一体型店頭宣伝用ネットイーゼル」
【請求項７２】
店頭宣伝用メニュー・パンフレット掲示型イーゼルなどにおいて、少なくともその一部分以上にＷＥＢサイト表示装置を組込み、メニューや、パンフレットの表示内容と当該「ＷＥＢサイト」の表示内容とを連携させ表示する手段と、店頭の顧客のみならずインターネットを介して遠方の顧客にもアピールする事など訴求力を増強する手段を具備する事を特徴とする「ＷＥＢサイト表示装置一体型店頭宣伝用ネットイーゼル」
【請求項７３】
その他店頭設置用看板類において、少なくともその一部分以上に、ＷＥＢサイト表示装置を組込み、手書き文字広告や、メニューや、パンフレットの表示内容と当該「ＷＥＢサイト」の表示内容とを連携させ表示する手段と、店頭の顧客のみならずインターネットを介して遠方の顧客にもアピールする事など訴求力を増強する手段を具備する事を特徴とする「ＷＥＢサイト表示装置一体型店頭宣伝用ネットイーゼル」
【請求項７４】
店頭宣伝用イーゼル黒板やメニュー・パンフレット掲示型イーゼル等やその他店頭設置用看板類において、少なくともその一部分以上に、ＷＥＢサイト表示装置を組込み、手書き文字広告や、メニューや、パンフレットや、既存看板等の広告手段による表示内容と当該「ＷＥＢサイト」の表示内容とを連携させ表示する手段と、店頭の顧客のみならずインターネットを介して遠方の顧客にもアピールする事など訴求力を増強する手段を具備する事を特徴とする「ＷＥＢサイト表示装置一体型店頭宣伝用ネットイーゼル」
【請求項７５】
イーゼル黒板等や、メニュー・パンフレット掲示型イーゼル等や、その他看板類において、少なくともその一部分以上に、ＷＥＢサイト表示装置を組込み、組込み或いは直近に設置し、手書き文字広告や、メニューや、パンフレットや、既存看板等の広告手段による表示内容と当該「ＷＥＢサイト」の表示内容とを連携させ表示する手段と、店頭の顧客のみならずインターネットを介して遠方の顧客にもアピールする事など訴求力を増強する手段を具備する事を特徴とする「ＷＥＢサイト表示装置一体型店頭宣伝用ネットイーゼル」
【請求項７６】
店頭宣伝用イーゼル黒板などにおいて、少なくともその一部分以上にＷＥＢサイト表示装置を組込み、手書き文字の表示内容と当該「ＷＥＢサイト」の表示内容とを連携させ表示する手段と、更に無線ＬＡＮ装置を付加しインターネットサーバーにアクセスできる手段と、更に「ＷＥＢサイト」の表示内容に静止画像、動画像、音声、芳香等を組み合わせインターネットサーバーに搭載している専用ＣＧＩプログラムによりコントロールする手段など店頭の顧客のみならずインターネットを介して遠方の顧客にも同時により一層アピールする手段を具備している事を特徴とする「ＷＥＢサイト表示装置一体型店頭宣伝用ネットイーゼル」
【請求項７７】
店頭宣伝用メニュー・パンフレット掲示型イーゼルなどにおいて、少なくともその一部分以上にＷＥＢサイト表示装置を組込み、メニューや、パンフレットの表示内容と当該「ＷＥＢサイト」の表示内容とを連携させ表示する手段と、更に無線ＬＡＮ装置を付加しインターネットサーバーにアクセスできる手段と、更に「ＷＥＢサイト」の表示内容に静止画像、動画像、音声、芳香等を組み合わせインターネットサーバーに搭載している専用ＣＧＩプログラムによりコントロールする手段など店頭の顧客のみならずインターネットを介して遠方の顧客にも同時により一層アピールする手段を具備する事を特徴とする「ＷＥＢサイト表示装置一体型店頭宣伝用ネットイーゼル」
【請求項７８】
その他店頭設置用看板類において、少なくともその一部分以上に、ＷＥＢサイト表示装置を組込み、手書き文字広告や、メニューや、パンフレットの表示内容と当該「ＷＥＢサイト」の表示内容とを連携させ表示する手段と、更に無線ＬＡＮ装置を付加しインターネットサーバーにアクセスできる手段と、更に「ＷＥＢサイト」の表示内容に静止画像、動画像、音声、芳香等を組み合わせインターネットサーバーに搭載している専用ＣＧＩプログラムによりコントロールする手段など店頭の顧客のみならずインターネットを介して遠方の顧客にも同時により一層アピールする手段を具備する事を特徴とする「ＷＥＢサイト表示装置一体型店頭宣伝用ネットイーゼル」
【請求項７９】
店頭宣伝用イーゼル黒板やメニュー・パンフレット掲示型イーゼル等やその他店頭設置用看板類において、少なくともその一部分以上に、ＷＥＢサイト表示装置を組込み、手書き文字広告や、メニューや、パンフレットや、既存看板等の広告手段による表示内容と当該「ＷＥＢサイト」の表示内容とを連携させ表示する手段と、更に無線ＬＡＮ装置を付加しインターネットサーバーにアクセスできる手段と、更に「ＷＥＢサイト」の表示内容に静止画像、動画像、音声、芳香等を組み合わせインターネットサーバーに搭載している専用ＣＧＩプログラムによりコントロールする手段など店頭の顧客のみならずインターネットを介して遠方の顧客にも同時により一層アピールする手段を具備する事を特徴とする「ＷＥＢサイト表示装置一体型店頭宣伝用ネットイーゼル」
【請求項８０】
イーゼル黒板等や、メニュー・パンフレット掲示型イーゼル等や、その他看板類において、少なくともその一部分以上に、ＷＥＢサイト表示装置を組込み或いは直近に設置し、手書き文字広告や、メニューや、パンフレットや、既存看板等の広告手段による表示内容と当該「ＷＥＢサイト」の表示内容とを連携させ表示する手段と、更に無線ＬＡＮ装置を付加しインターネットサーバーにアクセスできる手段と、更に「ＷＥＢサイト」の表示内容に静止画像、動画像、音声、芳香等を組み合わせインターネットサーバーに搭載している専用ＣＧＩプログラムによりコントロールする手段など店頭の顧客のみならずインターネットを介して遠方の顧客にも同時により一層アピールする手段を具備する事を特徴とする「ＷＥＢサイト表示装置一体型店頭宣伝用ネットイーゼル」
【請求項８１】
固定店舗、半固定店舗、移動店舗及びあらゆる形態の店舗においても同様に組み込まれ或いは設置されたイーゼル黒板や、メニュー・パンフレット掲示型イーゼル等や、その他看板類において、少なくともその一部分以上に、ＷＥＢサイト表示装置を組込み或いは直近に設置し、手書き文字広告や、メニューや、パンフレットや、既存看板等の広告手段による表示内容と当該「ＷＥＢサイト」の表示内容とを連携させ表示し訴求力を増強する手段を具備する事を特徴とする「ＷＥＢサイト表示装置一体型店頭宣伝用ネットイーゼル」
【請求項８２】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部に保護パネルを取り付けこれを保護し、手書き文字広告や、メニューや、パンフレットや、既存看板等の広告手段による表示内容と当該「ＷＥＢサイト」の表示内容とを連携させ表示し訴求力を増強する手段を具備する事を特徴とする「ＷＥＢサイト表示装置一体型店頭宣伝用ネットイーゼル」
【請求項８３】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部に防水パネルを取り付けこれを防水し、手書き文字広告や、メニューや、パンフレットや、既存看板等の広告手段による表示内容と当該「ＷＥＢサイト」の表示内容とを連携させ表示し訴求力を増強する手段を具備する事を特徴とする「ＷＥＢサイト表示装置一体型店頭宣伝用ネットイーゼル」
【請求項８４】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部に拡大レンズを取り付けこれを拡大表示及び防水する手段と、手書き文字広告や、メニューや、パンフレットや、既存看板等の広告手段による表示内容と当該「ＷＥＢサイト」の表示内容とを連携させ表示し訴求力を増強する手段を具備する事を特徴とする「ＷＥＢサイト表示装置一体型店頭宣伝用ネットイーゼル」
【請求項８５】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部に拡大レンズ兼防水カバーを取り付けこれを拡大表示及び防水する手段と、手書き文字広告や、メニューや、パンフレットや、既存看板等の広告手段による表示内容と当該「ＷＥＢサイト」の表示内容とを連携させ表示し訴求力を増強する手段を具備する事を特徴とする「ＷＥＢサイト表示装置一体型店頭宣伝用ネットイーゼル」
【請求項８６】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部に拡大レンズ兼防水カバーを取り付けこれを拡大表示及び防水する手段と、更に蓄電池を組み込み或いは設置し電源のない場所でも稼働可能とする手段と、手書き文字広告や、メニューや、パンフレットや、既存看板等の広告手段による表示内容と当該「ＷＥＢサイト」の表示内容とを連携させ表示し訴求力を増強する手段を具備する事を特徴とする「ＷＥＢサイト表示装置一体型店頭宣伝用ネットイーゼル」
【請求項８７】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部周辺に表示装置挿入補助スライドを設け脱着を容易にする手段を具備する事を特徴とする「ＷＥＢサイト表示装置一体型店頭宣伝用ネットイーゼル」
【請求項８８】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に表示装置のディスプレイ部用開口部周辺に表示装置脱落防止用補強手段を具備する事を特徴とする「ＷＥＢサイト表示装置一体型店頭宣伝用ネットイーゼル」
【請求項８９】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に無線ＬＡＮ装置を付加しインターネットサーバーにアクセスできる手段を具備する事を特徴とする「ＷＥＢサイト表示装置一体型店頭宣伝用ネットイーゼル」
【請求項９０】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み、更にディスプレイ部及びスピーカーの何れか若しくは両方を組み込み付加し、ＷＥＢサイト表示装置本体からコントロールする手段を具備する事を特徴とする「ＷＥＢサイト表示装置一体型店頭宣伝用ネットイーゼル」
【請求項９１】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更に芳香カプセルを組み込み或いは付加し、ＷＥＢサイト表示装置本体からコントロールする手段を具備する事を特徴とする「ＷＥＢサイト表示装置一体型店頭宣伝用ネットイーゼル」
【請求項９２】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更にＬＡＮ装置を付加しインターネットサーバーにアクセスできる手段と、芳香カプセルを組み込み若しくは付加し、予めインターネットサーバーに用意してある表示用ＣＧＩプログラムのうち最適なプログラムを起動し、芳香の形式を選択し、繰り返し提供できる手段を具備する事を特徴とする「ＷＥＢサイト表示装置一体型店頭宣伝用ネットイーゼル」
【請求項９３】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更にＬＡＮ装置を付加しインターネットサーバーにアクセスできる手段と、更にデジカメや集音マイクを設備し、予めインターネットサーバーに用意してある表示用ＣＧＩプログラムのうち最適なプログラムを起動し、撮影及び集音をコントロールしアップロードし、更に必要とするデータをＷＥＢサイトの内容を変更しダウンロードし訴求力を増強する手段を具備する事を特徴とする「ＷＥＢサイト表示装置一体型店頭宣伝用ネットイーゼル」
【請求項９４】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、更にＬＡＮ装置を付加しインターネットサーバーにアクセスできる手段と、更にデジカメや集音マイクを設備し、予めインターネットサーバーに用意してある表示用ＣＧＩプログラムのうち最適なプログラムを起動し、撮影及び集音をコントロールしアップロードし、更に必要とするデータをＷＥＢサイトの内容を変更しダウンロードする「ＷＥＢサイト表示装置一体型店頭宣伝用ネットイーゼル」を複数設置し連携し任意の場所からコントロールし、管理・記録することができる手段を具備する事を特徴とする「ＷＥＢサイト表示装置一体型店頭宣伝用ネットイーゼル」
【請求項９５】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、手書き文字広告や、メニューや、パンフレットや、既存看板等の広告手段による表示内容と当該「ＷＥＢサイト」の表示内容とを連携させ表示し、店頭の顧客のみならずインターネットを介して遠方の顧客にもアピールする手段など訴求力を増強する手段を具備する事を特徴とする「ＷＥＢサイト表示装置一体型店頭宣伝用ネットイーゼル」
【請求項９６】
固定店舗，半固定店舗、移動店舗及びあらゆる形態の店舗においても同様に組み込まれ或いは設置されたイーゼル黒板等や、メニュー・パンフレット掲示型イーゼル等や、その他駆体組込型看板を含むあらゆる形態の看板類において、少なくともその一部分以上に、ＷＥＢサイト表示装置を組込み或いは直近に設置し、手書き文字広告や、メニューや、パンフレットや、既存看板等の広告手段による表示内容と当該「ＷＥＢサイト」の表示内容とを連携させ表示し、更に「ＷＥＢサイト」の表示内容に静止画像、動画像、音声、芳香等を組み合わせ、インターネットサーバーに搭載している専用ＣＧＩプログラムによりコントロールする手段など店頭の顧客のみならずインターネットを介して遠方の顧客にも同時により一層アピールする手段を具備している事を特徴とする「ＷＥＢサイト表示装置一体型店頭宣伝用ネットイーゼル」
【請求項９７】
店頭宣伝用イーゼル黒板などにおいて、少なくともその一部分以上にＷＥＢサイトを表示表示装置を組込み、手書き文字と当該「ＷＥＢサイト」の表示内容とを連携させて表示する事で訴求力を増強する事を特徴とする「ＷＥＢサイト表示装置一体型店頭宣伝用ネットイーゼル」
【請求項９８】
店頭宣伝用メニュー・パンフレット掲示型イーゼルなどにおいて、少なくともその一部分以上にＷＥＢサイト表示装置を組込み、メニューや、パンフレットの表示内容と当該「ＷＥＢサイト」の表示内容とを連携させて表示する事で訴求力を増強する事を特徴とする「ＷＥＢサイト表示装置一体型店頭宣伝用ネットイーゼル」
【請求項９９】
その他店頭設置用看板類において、少なくともその一部分以上に、ＷＥＢサイトを表示装置を組込み、手書き文字広告や、メニューや、パンフレットの表示内容と当該「ＷＥＢサイト」の表示内容とを連携させて表示する事で訴求力を増強する事を特徴とする「ＷＥＢサイト表示装置一体型店頭宣伝用ネットイーゼル」
【請求項１００】
店頭宣伝用イーゼル黒板やメニュー・パンフレット掲示型イーゼル等やその他店頭設置用看板類において、少なくともその一部分以上に、ＷＥＢサイト表示装置を組込み、手書き文字広告や、メニューや、パンフレットや、既存看板等の広告手段による表示内容と当該「ＷＥＢサイト」の表示内容とを連携させて表示する事で訴求力を増強する事を特徴とする「ＷＥＢサイト表示装置一体型店頭宣伝用ネットイーゼル」
【請求項１０１】
イーゼル黒板等や、メニュー・パンフレット掲示型イーゼル等や、その他看板類において、少なくともその一部分以上に、ＷＥＢサイト表示装置を組込み或いは直近に設置し、手書き文字広告や、メニューや、パンフレットや、既存看板等の広告手段による表示内容と当該「ＷＥＢサイト」の表示内容とを連携させて表示する事で訴求力を増強する事を特徴とする「ＷＥＢサイト表示装置一体型店頭宣伝用ネットイーゼル」
【考案の詳細な説明】
【技術分野】
【０００１】
ＷＥＢサイトを連携表示する為に必要なインターネットに関する情報処理技術、及びコンピューターの組込・設計・製造技術、基礎入出力プログラム（ＢＩＯＳ）関連技術、サーバーからデーターをダウンロードする為のＣＧＩプログラム作成技術。
【背景技術】
【０００２】
店頭用宣伝には、従来食品模型等を陳列したショーウインドーや、手作りを強調し手書文字を書込んだイーゼル黒板やメニューやパンフレットを掲示するための掲示板型イーゼルなどがあり、一般的に広く使用されています。
【特許文献１】特開２００７−２１９４５９（Ｐ２００７−２１９４５９Ａ）
【考案の開示】
【考案が解決しようとする課題】
【０００３】
この手書き文字用イーゼル黒板やメニュー掲示イーゼルは、手作り感覚と高級感は充分アピールできるものの、訴求力が充分ではありませんでした。しかし、食品模型の入ったショーケースを設置すると、手書き文字黒板のもつ手作り感覚やメニュー掲示型イーゼルのもつ高級感は無くなってしまうという課題がありました。又、イーゼルは、店頭設置を主目的としている為、通りすがりの顧客にしかアピールできないという課題がありました。
【課題を解決するための手段】
【０００４】
このイーゼル黒板やメニュー掲示イーゼルの訴求力不足をＷ Ｅ Ｂ サイト表示装置をイーゼル黒板やメニュー掲示イーゼルに組み込み、インターネットを介して、静止画像、動画、音声、芳香等をタイムリーに提供する事で、手作り感覚や高級感を失わないよう、訴求力不足を補い、且つ店頭の顧客のみならず、遠方の顧客にもアピールする事を特徴とする「Ｗ Ｅ Ｂ サイト表示装置一体型店頭宣伝用ネットイーゼル」を構築する事で、この課題を解決する。
【考案の効果】
【０００５】
「Ｗ Ｅ Ｂ サイト表示装置一体型店頭宣伝用ネットイーゼル黒板」や「Ｗ Ｅ Ｂ サイト表示装置一体型店頭掲示板型ネットイーゼル台」を店頭宣伝に利用すれば、手書き文字のもつ手作り感覚やメニューのみを表示するという高級感や上品さを犠牲にせず、タイムリーで且つ訴求力ある店頭宣伝を展開する事ができ、プラスチックの食品模型の入ったショーケースを設置する事を良しとしない中高級レストランに最適なものである。更に、「Ｗ ＥＢ サイト表示装置一体型店頭宣伝用ネットイーゼル」から、必要となる静止画像、動画像、音声、芳香データ等をインターネットサーバーにアップロードしたり、同サーバーから静止画像、動画、音声、芳香データなどをダウンロードし、手書き文字、或いはメニューに合わせ連携表示し、訴求力を増強できる。インターネットを利用している事から、芳香をのぞいて店頭の顧客のみならず、遠方の顧客にもアピールする事ができる為、一石２ 鳥の効果が期待できる。又、「Ｗ Ｅ Ｂ サイト表示装置一体型店頭宣伝用ネットイーゼル」に接続されたデジカメやマイクから送信されたデーターを、管理目的などに使用する事も可能である。
【考案を実施するための最良の形態】
【０００６】
図１のように、イーゼル黒板（１）或いはメニュー掲示イーゼル台の任意の位置にＷＥＢサイト表示装置のディスプレイ部分が前面から見えるようくり抜き開口部（２）をつくり、ディスプレイ部分を設置してある。もし、画面を拡大する方がよい時はここに拡大レンズ兼防水カバー（３）を取り付け、小さなＷＥＢサイト表示装置の画面でも迫力のある映像を提供できるようにし、突然の雨から表示装置を保護する為の防水カバーを装備する事もできるようにしてある。
【０００７】
図２は当該ＷＥＢサイト表示装置取付部分の断面図であり、点線の矩形部分は、このＷＥＢサイト表示装置本体（５）である。又このＷＥＢサイト表示装置を容易に維持管理できるよう ＷＥＢサイト表示装置挿入補助スライド（６）を設け、脱着が容易にできるようにしてある。更にこの挿入補助スライドを補強し、 ＷＥＢサイト表示装置の脱落を防ぐ為 ＷＥＢサイト表示装置押さえ（７）を設けてある。更に、音声スピーカー（８）や芳香カプセル（９）も設けてあり、ＷＥＢサイト表示装置本体（５）からコントロールできるよう、セットしてある。
【０００８】
図３は、 ＷＥＢサイト表示装置本体及びインターネットサーバーの全体図であり、必要な電源は、電源ケーブル（１０）を通じ、蓄電池兼定電圧装置（１１）に供給され、電源のない場所においても、容易に運用できるようにしてある。又ケーブルを引き回せない場所も多数ある事から、ケータイ電話などの外付け無線ＬＡＮ装置（１２）、または内蔵無線ＬＡＮ装置を設備し、インターネットサーバー（１３）に、アクセスできるよう設備してある。
【０００９】
当該「ＷＥＢサイト表示装置一体型店頭宣伝用ネットイーゼル」を設置した店舗は、インターネット上のサーバー（１３）に、あらかじめ蓄えているデーターを取り出す為、あらかじめ用意してある表示用ＣＧＩプログラム（１４）のうち、最適なプログラムを起動し、必要な表示はディスプレー部から、音声はスピーカー（８）から、芳香は、芳香カプセル（９）からそれぞれの形式を選択しコントロールし、繰り返し提供する事ができるようセットしてある。また、ＷＥＢサイトの内容は、ＣＧＩプログラム（１４）を利用し容易に変更可能であり、デジカメ（１５）等で撮影した写真やマイク（１６）を使用し、音声等もアップロードし、直に利用できるようになっているため、日替わりやタイムサービス等にも、即対応し宣伝する事ができる。さらに、これらデジカメや集音マイクを、「ＷＥＢサイト表示装置一体型店頭宣伝用ネットイーゼル」に接続し、定期的もしくは常時サーバーに映像や音声を送信したり、任意の場所からコントロールし記録利用する事も可能である。
【産業上の利用可能性】
【００１０】
この実施形態によれば、「ＷＥＢサイト表示装置一体型店頭宣伝用ネットイーゼル」から、必要となる静止画像、動画像、音声、芳香データ等をインターネットサーバーにアップロードしたり、同サーバーから静止画像、動画、音声、芳香データなどをダウンロードし、手書き文字、或いはメニューに合わせ連携表示し、訴求力を増強できるのである。インターネットを利用している事から、芳香をのぞいて店頭の顧客のみならず、遠方の顧客にもアピールする事ができる為、一石２鳥の効果が期待できる。又、「ＷＥＢサイト表示装置一体型店頭宣伝用ネットイーゼル」に接続されたデジカメやマイクから送信されたデーターを、管理目的などに使用する事も可能である。又以上の通り、 「ＷＥＢサイト表示装置一体型店頭宣伝用ネットイーゼル黒板」や「ＷＥＢサイト表示装置一体型店頭掲示板型ネットイーゼル台」を店頭宣伝に利用すれば、手書き文字のもつ手作り感覚やメニューのみを表示するという高級感や上品さを犠牲にせず、タイムリーで且つ訴求力ある店頭宣伝を展開する事ができ、食品模型等の入ったショーケースを設置する事を良しとしない中高級レストランに最適なものである。
【図面の簡単な説明】
【００１１】
【図１】ＷＥＢサイト表示装置一体型店頭宣伝用ネットイーゼルの概略図
【図２】ＷＥＢサイト表示装置一体型店頭宣伝用ネットイーゼルの断面図
【図３】ＷＥＢサイト表示装置一体型店頭宣伝用ネットイーゼル本体とサーバー図
【符号の説明】
【００１２】
１   イーゼル黒板又はメニュー掲示イーゼル
２   Ｗ Ｅ Ｂ サイトヒョウジ装置開口部
３   拡大レンズ兼防水カバー
４   ディスプレー部
５   スタンド用補強材
６   Ｗ Ｅ Ｂ サイト表示装置挿入補助スライド
７   Ｗ Ｅ Ｂ サイト表示装置押さえ
８   スピーカー
９   芳香カプセル
１ ０   電源ケーブル
１ １   蓄電池部
１ ２   無線Ｌ Ａ Ｎ 部
１ ３   インターネットサーバー部
１ ４   Ｃ Ｇ Ｉ プログラム
１ ５   デジタルカメラ
１ ６   マイクロフォン
【図１】
0003153459.tif 000003
【図２】
0003153459.tif 000004
【図３】
0003153459.tif 000005
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
手書き文字用イーゼル黒板やメニュー掲示イーゼル（以下イーゼル台という）において、そのイーゼル台の任意の位置に設けた開口部に設置したディスプレイ部及び当該ディスプレイ部に接続されたＷＥＢサイト表示装置本体か、又はそのイーゼル台に取り付けられた表示部付ＷＥＢサイト表示装置一体型か、の何れかからなるＷＥＢサイト表示装置と、それぞれのディスプレイ部において表示するデーターを予め蓄えたインターネットサーバーと、当該ＷＥＢサイト表示装置とインターネットサーバーとを接続する無線ＬＡＮ装置と、当該ＷＥＢサイト表示装置と当該インターネットサーバーとをコントロールするＣＧＩプログラム及び／又はＢＩＯＳを含むコントロール手段と、電源ケーブルと、を具備している事を特徴とするＷＥＢサイト表示装置一体型店頭宣伝用ネットイーゼル
【請求項２】
請求項１に記載するＷＥＢサイト表示装置一体型店頭宣伝用ネットイーゼルに具備されている無線ＬＡＮ装置が、ケータイ電話などの外付け無線ＬＡＮ装置、及び／又は内蔵無線ＬＡＮ装置である事を特徴とするＷＥＢサイト表示装置一体型店頭宣伝用ネットイーゼル
【請求項３】
請求項１ないし２の何れかに記載するＷＥＢサイト表示装置一体型店頭宣伝用ネットイーゼルに具備されている無線ＬＡＮ装置が、有線ＬＡＮ装置で代替される事を特徴とするＷＥＢサイト表示装置一体型店頭宣伝用ネットイーゼル
【請求項４】
請求項１〜３の何れかに記載するＷＥＢサイト表示装置一体型店頭宣伝用ネットイーゼルに具備されているＷＥＢサイト表示装置は、予めイーゼル台に取り付けられたＷＥＢサイト表示装置挿入補助スライドを使用し、設置されている事を特徴とするＷＥＢサイト表示装置一体型店頭宣伝用ネットイーゼル
【請求項５】
請求項１〜４の何れかに記載するＷＥＢサイト表示装置一体型店頭宣伝用ネットイーゼルに具備されている請求項１に記載するディスプレイ部及び／又は請求項１に記載する表示部付ＷＥＢサイト表示装置一体型の表示部には、拡大レンズ兼防水カバー或いは防水カバーが設置されている事を特徴とするＷＥＢサイト表示装置一体型店頭宣伝用ネットイーゼル
【請求項６】
請求項１〜５の何れかに記載するＷＥＢサイト表示装置一体型店頭宣伝用ネットイーゼルに具備されているＷＥＢサイト表示装置は、電源のない場所においても容易に運用できるよう蓄電池部が予めイーゼル台に設置されている事を特徴とするＷＥＢサイト表示装置一体型店頭宣伝用ネットイーゼル
【請求項７】
請求項１〜６の何れかに記載するＷＥＢサイト表示装置一体型店頭宣伝用ネットイーゼルにおいて、これに具備されているＷＥＢサイト表示装置には、予めスピーカーが設置されている事、及び請求項１に記載するコントロール手段により音声を発する事を特徴とするＷＥＢサイト表示装置一体型店頭宣伝用ネットイーゼル
【請求項８】
請求項１〜７の何れかに記載するＷＥＢサイト表示装置一体型店頭宣伝用ネットイーゼルに具備されているＷＥＢサイト表示装置には、予め芳香カプセルが設置されている事、及び請求項１に記載するコントロール手段により芳香する事を特徴とするＷＥＢサイト表示装置一体型店頭宣伝用ネットイーゼル
【請求項９】
請求項１〜８の何れかに記載するＷＥＢサイト表示装置一体型店頭宣伝用ネットイーゼルに具備されているＷＥＢサイト表示装置には、予めデジカメ及び／又はマイクロフォンが設置されている事を特徴とするＷＥＢサイト表示装置一体型店頭宣伝用ネットイーゼル
【請求項１０】
請求項１〜９の何れかに記載するＷＥＢサイト表示装置一体型店頭宣伝用ネットイーゼルにおいて、請求項９に記載するデジカメ及び／又はマイクロフォンは、請求項１に記載するコントロール手段により、任意のタイミングで撮影及び／又は集音できる事、更に撮影及び／又は集音したデーター（以下映像・集音データーという）をインターネットサーバーにアップロードし、その後当該ＷＥＢサイト表示装置にダウンロードし表示し宣伝に利用する事を特徴とするＷＥＢサイト表示装置一体型店頭宣伝用ネットイーゼル
【請求項１１】
請求項１〜１０の何れかに記載するＷＥＢサイト表示装置一体型店頭宣伝用ネットイーゼルに具備されているＷＥＢサイト表示装置が、請求項１０に記載する映像・集音データーを、定期的若しくは常時インターネットサーバーに送信したりアップロードする事により、任意の場所からコントロールし記録利用する事ができる事を特徴とするＷＥＢサイト表示装置一体型店頭宣伝用ネットイーゼル
【請求項１２】
請求項１〜１１の何れかに記載するＷＥＢサイト表示装置一体型店頭宣伝用ネットイーゼルに具備されているＷＥＢサイト表示装置が、インターネットサーバーに予め蓄えられているデーターを取り出す為、請求項１に記載するコントロール手段のうち最適な表示用ＣＧＩプログラム及び／又はＢＩＯＳを起動しコントロールし、必要な表示は請求項１に記載するディスプレー部及び／又は表示部から、音声は請求項７に記載するスピーカーから、芳香は、請求項８に記載する芳香カプセルから、それぞれ繰り返し提供できる事を特徴とするＷＥＢサイト表示装置一体型店頭宣伝用ネットイーゼル
【手続補正書】
【提出日】平成21年6月30日(2009.6.30)
【手続補正１】
【補正対象書類名】実用新案登録請求の範囲
【補正対象項目名】全文
【補正方法】変更
【補正の内容】
【実用新案登録請求の範囲】
【請求項１】
手書き文字用イーゼル黒板やメニュー掲示イーゼル（以下イーゼル台という）において、そのイーゼル台の任意の位置に設けた開口部に設置したディスプレイ部及び当該ディスプレイ部に接続されたＷＥＢサイト表示装置本体か、又はそのイーゼル台に取り付けられた表示部付ＷＥＢサイト表示装置一体型か、の何れかからなるＷＥＢサイト表示装置と、それぞれのディスプレイ部において表示するデーターを予め蓄えたインターネットサーバーと、当該ＷＥＢサイト表示装置とインターネットサーバーとを接続する無線ＬＡＮ装置と、当該ＷＥＢサイト表示装置と当該インターネットサーバーとをコントロールするＣＧＩプログラム及び／又はＢＩＯＳを含むコントロール手段と、電源ケーブルと、を具備している事を特徴とするＷＥＢサイト表示装置一体型店頭宣伝用ネットイーゼル
【請求項２】
請求項１に記載するＷＥＢサイト表示装置一体型店頭宣伝用ネットイーゼルにおいて、これに具備されている無線ＬＡＮ装置が、ケータイ電話などの外付け無線ＬＡＮ装置、及び／又は内蔵無線ＬＡＮ装置である事を特徴とするＷＥＢサイト表示装置一体型店頭宣伝用ネットイーゼル。
【請求項３】
請求項１ないし２の何れかに記載するＷＥＢサイト表示装置一体型店頭宣伝用ネットイーゼルにおいて、これに具備されている無線ＬＡＮ装置が、有線ＬＡＮ装置で代替される得る事を特徴とするＷＥＢサイト表示装置一体型店頭宣伝用ネットイーゼル。
【請求項４】
請求項１〜３の何れかに記載するＷＥＢサイト表示装置一体型店頭宣伝用ネットイーゼルにおいて、これに具備されているＷＥＢサイト表示装置は、予めイーゼル台に取り付けられたＷＥＢサイト表示装置挿入補助スライドを使用し、設置されている事を特徴とするＷＥＢサイト表示装置一体型店頭宣伝用ネットイーゼル。
【請求項５】
請求項１〜４の何れかに記載するＷＥＢサイト表示装置一体型店頭宣伝用ネットイーゼルにおいて、これに具備されている前記ディスプレイ部及び／又は表示部付ＷＥＢサイト表示装置一体型の表示部には、拡大レンズ兼防水カバー或いは防水カバーが設置されている事を特徴とする請求項１〜４の何れかに記載のＷＥＢサイト表示装置一体型店頭宣伝用ネットイーゼル。
【請求項６】
請求項１〜５の何れかに記載するＷＥＢサイト表示装置一体型店頭宣伝用ネットイーゼルにおいて、これに具備されているＷＥＢサイト表示装置は、電源のない場所においても容易に運用できるよう蓄電池部が予めイーゼル台に設置されている事を特徴とするＷＥＢサイト表示装置一体型店頭宣伝用ネットイーゼル。
【請求項７】
請求項１〜６の何れかに記載するＷＥＢサイト表示装置一体型店頭宣伝用ネットイーゼルにおいて、これに具備されているＷＥＢサイト表示装置には、予めスピーカーが設置されている事、及び前記コントロール手段により音声を発する事を特徴とする請求項１〜６の何れかに記載のＷＥＢサイト表示装置一体型店頭宣伝用ネットイーゼル。
【請求項８】
請求項１〜７の何れかに記載するＷＥＢサイト表示装置一体型店頭宣伝用ネットイーゼルにおいて、これに具備されているＷＥＢサイト表示装置には、予め芳香カプセルが設置されている事、及び前記コントロール手段により芳香する事を特徴とする請求項１〜７の何れかに記載のＷＥＢサイト表示装置一体型店頭宣伝用ネットイーゼル。
【請求項９】
請求項１〜８の何れかに記載するＷＥＢサイト表示装置一体型店頭宣伝用ネットイーゼルにおいて、これに具備されているＷＥＢサイト表示装置には、予めデジカメ及び／又はマイクロフォンが設置されている事を特徴とするＷＥＢサイト表示装置一体型店頭宣伝用ネットイーゼル。
【請求項１０】
前項に記載するＷＥＢサイト表示装置において、予め具備された前記デジカメ及び／又はマイクロフォンは、前記コントロール手段により、任意のタイミングで撮影及び／又は集音できる事、更に撮影及び／又は集音したデーター（以下映像・集音データーという）をインターネットサーバーにアップロードし、その後当該ＷＥＢサイト表示装置にダウンロードし表示し宣伝に利用する事を特徴とする請求項９に記載のＷＥＢサイト表示装置一体型店頭宣伝用ネットイーゼル。
【請求項１１】
前項に記載するＷＥＢサイト表示装置において、前記映像・集音データーを、前記コントロール手段により、任意に或いは定期的若しくは常時インターネットサーバーに送信したりアップロードする事により、任意の場所からコントロールし記録利用する事ができる事を特徴とする請求項１０に記載のＷＥＢサイト表示装置一体型店頭宣伝用ネットイーゼル。
【請求項１２】
請求項１〜１１の何れかに記載するＷＥＢサイト表示装置一体型店頭宣伝用ネットイーゼルにおいて、これに具備されているＷＥＢサイト表示装置は、インターネットサーバーに予め蓄えられているデーターを取り出す為、前記コントロール手段のうち最適な表示用ＣＧＩプログラム及び／又はＢＩＯＳを起動しコントロールし、必要な表示は前記ディスプレー部及び／又は表示部から、音声は予め設置された前記コントロール手段により音声を発するスピーカーから、芳香は予め設置された前記コントロール手段により芳香する芳香カプセルから、それぞれ繰り返し提供できる事を特徴とする請求項１〜１１の何れかに記載のＷＥＢサイト表示装置一体型店頭宣伝用ネットイーゼル。